(57)【特許請求の範囲】
【請求項１】
タグに表示した価格の値引きを表示するためのタグ用値引きシールであって、
前記タグに貼り付け可能な透明基材から構成したシール本体と、
このシール本体を前記タグの裏面から貼り付け可能とする貼付け領域と、
この貼付け領域とは異なる前記シール本体の面において逆印刷により前記値引き情報を赤の地色で印刷して表示した値引き表示領域と、を有し、
前記値引き表示領域と前記貼付け領域とを互いに分離可能とするとともに、
前記貼付け領域には、不正貼り替え防止用の切込みを形成してあることを特徴とするタグ用値引きシール。
【発明の詳細な説明】
【０００１】
【発明の属する技術分野】
本発明はタグ用値引きシールにかかるもので、とくに下げ札と呼ばれる値札（タグ）に貼り付けて各種商品の価格についての値引きを表示するためのタグ用値引きシールに関するものである。
【０００２】
【従来の技術】
従来の値引き表示方法ないしその値引きシールについて、図６および図７にもとづき概説する。
図６は、従来の値引き表示方法の一例を示した値札たとえばタグ１の平面図であって、タグ１には、商品の価格２とともに、管理番号３やバーコード４などを印字し、販売時にたとえばミシン目５により上下を分離可能としている。
表示した商品の価格２を値引きする場合には、たとえば、この価格２を赤線６などで消し、赤色の値引き価格７を新たに印字している。
【０００３】
図７は、従来の値引き表示方法の他の例を示したタグ１の平面図であって、タグ１の内容を変更したい価格２に重ねるように別の値引きシール８を貼り付けて、この値引きシール８に値引き価格７を印字している。
【０００４】
こうした従来の値引き表示方法では、値引きシール８あるいは値引き価格７がタグ１自体に取り付けられ、あるいは表示されることになるため、タグ１そのものの体裁が悪くなるとともに、このタグ１により価格２を表示した商品がセールス対象品ないし値引き対象商品であることが目立たず、その宣伝効果が低いという問題がある。
【０００５】
さらに、値引きセール期間が終了して、通常の価格２に戻したい場合に、その価格２を印字して新たにタグ１を準備する必要があること、すなわち、タグ１を交換する手間が必要であるなどの問題がある。
【０００６】
【発明が解決しようとする課題】
本発明は以上のような諸問題にかんがみなされたもので、商品の値引きを効果的に表示することができるタグ用値引きシールを提供することを課題とする。
【０００７】
また本発明は、タグに目立つように貼り付けることができるタグ用値引きシールを提供することを課題とする。
【０００８】
また本発明は、タグに表示している価格、管理番号あるいはバーコードなどには関係なく、値引きを表示することができるタグ用値引きシールを提供することを課題とする。
【０００９】
また本発明は、タグ自体の表示を損なうことがないようにしたタグ用値引きシールを提供することを課題とする。
【００１０】
また本発明は、値引き期間が終了したときに、新たにタグを印字することなく、価格を通常のものに容易に戻すことができるようにしたタグ用値引きシールを提供することを課題とする。
【００１１】
【課題を解決するための手段】
すなわち本発明は、タグ用値引きシールをタグの表面には貼らないようにすること、タグ用値引きシールの貼付け面をタグの裏側に位置させることができるようにすること、シール本体を透明基材から構成して逆印刷により値引き情報を印刷すること、値引き期間終了後は値引き表示部分をタグから切り離し可能とすることなどに着目したもので、タグに表示した価格の値引きを表示するためのタグ用値引きシールであって、上記タグに貼り付け可能な透明基材から構成したシール本体と、このシール本体を前記タグの裏面から貼り付け可能とする貼付け領域と、この貼付け領域とは異なる前記シール本体の面において逆印刷により上記値引き情報を赤の地色で印刷して表示した値引き表示領域と、を有し、上記値引き表示領域と上記貼付け領域とを互いに分離可能とするとともに、上記貼付け領域には、不正貼り替え防止用の切込みを形成してあることを特徴とするタグ用値引きシールである。
【００１５】
本発明によるタグ用値引きシールにおいては、タグ用値引きシールの貼付け面をタグの裏側に位置させるとともに、シール本体を透明基材から構成して逆印刷により値引き情報を印刷するようにしたので、タグ用値引きシールをタグの表面には貼らないようにすることができ、タグの領域とは別に値引き情報を表示可能としてセールス効果を上げることが可能であるとともに、値引き期間終了後は値引き表示領域を切り離すことにより、もとの通常価格の表示に戻すことができる。
したがって、タグの通常価格表示を汚すことなく、宣伝効果を向上することができるとともに、セールス期間終了後は、値引き表示領域をタグから切り離し可能とし、値引きから通常価格への切替え作業も容易に行うことができる。
【００１６】
さらに、透明なシール本体に逆印刷により値引き情報を印刷するようにしたので、シール本体を通して値引き情報を透かして見ることになりラミネート加工を施したような光沢を得ることができるとともに、貼付け領域の粘着剤層とは異なる側の面に粘着剤層とは関係なく印刷（逆印刷）することができるので、値引きシールとしての製造工程も簡略化することができる。
【００１７】
【発明の実施の形態】
つぎに本発明の第１の実施の形態によるタグ用値引きシール１０を図１および図２にもとづき説明する。ただし、図６および図７と同様の部分には同一符号を付し、その詳述はこれを省略する。
図１は、タグ用値引きシール１０自体およびこれをタグ１に貼り付けた状態の平面図、図２は、その断面図であって、タグ用値引きシール１０は、そのシール本体１１をたとえばポリエチレンあるいはポリエチレンテレフタラート（ＰＥＴ）その他の透明な樹脂フィルム（透明基材）から構成し、ミシン目１２により所定の面積比で貼付け領域１３および値引き表示領域１４を区画形成している。
【００１８】
とくに、図２に示すように、シール本体１１の裏面において貼付け領域１３に粘着剤層１５を形成してタグ用値引きシール１０を台紙１６に仮着可能とし、貼付け領域１３の裏面とは異なるシール本体１１の表面において値引き表示領域１４に値引き情報１７を逆印刷する。
すなわち、シール本体１１の裏側から透明基材を通して、貼付け領域１３の粘着剤層１５側から表面側の値引き情報１７を購買者が読み取れるような印刷を行う。
【００１９】
この値引き情報１７としては、たとえば「値札価格より３０％ＯＦＦ」の値引き表示１８、および店コードおよび値引き率（この場合３０％）などを表示するバーコード１９その他必要な情報を印刷する。また、値引き表示領域１４の印刷は、任意の印刷を行うものであるが、その全体を目立つ赤の地色とし、たとえば、値引き表示１８を白抜きで、バーコード１９を黒抜きで印刷する。
【００２０】
なお、タグ用値引きシール１０を製造するにあたっては、筋状に部分的に粘着剤層１５を塗布したシール本体１１を台紙１６に仮着した原反（図示せず）を準備し、値引き表示領域１４に相当する部分に値引き情報１７を逆印刷し、最後に不要な部分をカス取りして、台紙１６に仮着したタグ用値引きシール１０とする。
【００２１】
こうした構成のタグ用値引きシール１０は、たとえば台紙１６にその複数枚が仮着された状態で供給される。
タグ用値引きシール１０の使用時には、図１および図２に示すように、台紙１６からこれを剥離してその貼付け領域１３の粘着剤層１５をタグ１の裏面１Ａに貼り付け、ミシン目１２がタグ１の下端部１Ｂより望ましくは内側に位置するように貼り付ける。
なお、タグ用値引きシール１０のタグ１への貼付け部位は、タグ１の側面あるいは上端部など任意に選択可能であって、タグ用値引きシール１０における貼付け領域１３および値引き表示領域１４の区画を任意に設計すればよい。
【００２２】
かくして、値引き表示領域１４の値引き情報１７は、シール本体１１の透明基材を通してタグ１の平面側からこれを読み取ることができ、購買者に値引き期間ないしセールス期間として宣伝することができる。しかも、タグ用値引きシール１０自体は、貼付け領域１３によりタグ１の裏面１Ａに貼られているもので、タグ１のいずれの平面ないしその価格２、管理番号３およびバーコード４などを覆っているものではなく、通常の価格２を表示したタグ１に値引き情報１７を表示したタグ用値引きシール１０が付加されていることになる。また、タグ用値引きシール１０の値引き表示領域１４自体が目立つ赤の地色で表示されているとともに、透明なシール本体１１を通して値引き情報１７を透かして見ることになりラミネート加工を施したような高級かつ上品な光沢を得ることができるので、体裁よく宣伝効果を強力に発揮することができる。
【００２３】
さらに、セールス期間が終了して値引き期間から通常の価格２に戻したい場合には、タグ用値引きシール１０のミシン目１２の部分において値引き表示領域１４を貼付け領域１３から簡単に分離することができ、タグ１の裏面１Ａには透明な貼付け領域１３が残るだけであるため、従来におけるようなタグ１の再発行の手間も不要で、タグ１における価格２、管理番号３およびバーコード４などの表示構成には何らの支障もない。
【００２４】
図３は、本発明の第２の実施の形態によるタグ用値引きシール２０の平面図、図４は、その断面図であって、タグ用値引きシール２０においては、第１の実施の形態による既述のタグ用値引きシール１０（図１、図２）に加えて、貼付け領域１３の部分に各方位に延びる斜めカットからなる不正貼り替え防止用の切込み２１を形成してあるとともに、その貼付け領域１３の表面側に任意の色（たとえば青色）をベタ印刷したベタ印刷領域２２を形成してある。
このベタ印刷領域２２は、貼り替え行為を目だ立たせるために必要に応じて形成するものである。
【００２５】
こうした構成のタグ用値引きシール２０によれば、値引き対象ではない商品に付けられたタグ１にタグ用値引きシール２０を貼り替えるという不正行為（改ざん行為）を防止することができる。
すなわち、この不正行為が万が一行われたとしても、貼付け領域１３の不正貼り替え防止用の切込み２１部分からシール本体１１が容易に切り裂かれ、かつ貼付け領域１３には着色されたベタ印刷領域２２があるので、タグ用値引きシール２０が貼り替えられた他のタグ１におけるその貼付け領域１３の切り裂き状態によりその不正行為を判別することができる。もちろん、不正貼り替え防止用の切込み２１部分があるため、タグ用値引きシール２０自体をタグ１から剥しにくく未然に不正行為を防止することもできる。
【００２６】
図５は、不正貼り替え防止用の切込みの各種の例を示した平面図であって、図５（１）の切込み２３は、互いに直交するカットからなる。図５（２）の切込み２４は、互いに平行なカットからなる。図５（３）の切込み２５は、対角線上に延びるカットからなる。図５（４）の切込み２６は、互いに平行な短線の組み合わせのカットからなる。
【００２７】
【発明の効果】
以上のように本発明によれば、タグの裏面側に貼り付けられるようなタグ用値引きシールとしたので、タグの体裁を良好としたまま、消費者の購買意欲を高めることができるとともに、値引き表示領域を貼付け領域から切り離すことにより、セールス期間から通常の販売価格期間への切り替えも簡単に行うことができる。
【図面の簡単な説明】
【図１】本発明の第１の実施の形態によるタグ用値引きシール１０自体およびこれをタグ１に貼り付けた状態の平面図である。
【図２】同、断面図である。
【図３】本発明の第２の実施の形態によるタグ用値引きシール２０の平面図である。
【図４】同、断面図である。
【図５】同、不正貼り替え防止用の切込みの各種の例を示した平面図である。
【図６】従来の値引き表示方法の一例を示した値札たとえばタグ１の平面図である。
【図７】従来の値引き表示方法の他の例を示したタグ１の平面図である。
【符号の説明】
１  タグ（値札、下げ札）
１Ａ  タグ１の裏面（図２）
１Ｂ  タグ１の下端部（図２）
２  商品の価格
３  管理番号
４  バーコード
５  ミシン目
６  赤線（図６）
７  値引き価格（図６）
８  値引きシール（図７）
１０  タグ用値引きシール（第１の実施の形態、図１）
１１  シール本体
１２  ミシン目
１３  貼付け領域
１４  値引き表示領域
１５  粘着剤層
１６  台紙
１７  値引き情報
１８  「値札価格より３０％ＯＦＦ」の値引き表示
１９  店コードおよび値引き率（３０％）などを表示するバーコード
２０  タグ用値引きシール（第２の実施の形態、図３、図４）
２１  不正貼り替え防止用の切込み
２２  ベタ印刷領域
２３、２４、２５、２６  不正貼り替え防止用の切込み（図５）
【図１】
0004406186.tif 000002
【図２】
0004406186.tif 000003
【図３】
0004406186.tif 000004
【図４】
0004406186.tif 000005
【図５】
0004406186.tif 000006
【図６】
0004406186.tif 000007
【図７】
0004406186.tif 000008